(57)【特許請求の範囲】
【請求項１】
ワイヤーハーネス用部材セットであって、
それぞれがワイヤーハーネスを保持する複数の保持部材と、
二つの前記保持部材を互いに連結し、当該各保持部材の取付部に着脱可能な連結部材と、
前記保持部材が保持するワイヤーハーネスが固定される取付対象物の取付穴に係止するクリップ部を有し、当該保持部材の前記取付部に取り付けられるクリップ部材と
を備え、
前記保持部材の前記取付部には挿入穴が設けられ、
前記挿入穴の内面には第１及び第２係合部が設けられ、
前記連結部材は、
当該連結部材が連結する二つの前記保持部材において、一方の保持部材の前記挿入穴に対して一方の端部から着脱可能に挿入されるとともに、他方の保持部材の前記挿入穴に対して他方の端部から着脱可能に挿入される第１挿入部と、
前記第１挿入部が前記一方の端部から前記挿入穴に挿入された際に当該挿入穴の前記第１係合部と係合する第３係合部と、
前記第１挿入部が前記他方の端部から前記挿入穴に挿入された際に当該挿入穴の前記第１係合部と係合する第４係合部と
を有し、
前記第１挿入部が前記一方の端部から前記挿入穴に挿入されると、当該挿入穴の前記第１係合部と前記第３係合部とが係合して、当該挿入穴に当該第１挿入部が取り付けられ、
前記第１挿入部が前記他方の端部から前記挿入穴に挿入されると、当該挿入穴の前記第１係合部と前記第４係合部とが係合して、当該挿入穴に当該第１挿入部が取り付けられ、
前記挿入穴に前記一方の端部から挿入された前記第１挿入部が当該挿入穴から取り出される際には、当該挿入穴の前記第１係合部と前記第３係合部との係合が解除され、
前記挿入穴に前記他方の端部から挿入された前記第１挿入部が当該挿入穴から取り出される際には、当該挿入穴の前記第１係合部と前記第４係合部との係合が解除され、
前記クリップ部材は、
前記保持部材の前記挿入穴に挿入される第２挿入部と、
前記第２挿入部の外面に設けられ、前記保持部材の前記第２係合部と係合する第５係合部と
を有し、
前記挿入穴に前記第２挿入部が挿入されると、前記第２及び第５係合部が係合して、当該挿入穴に当該第２挿入部が取り付けられる、ワイヤーハーネス用部材セット。
【請求項２】
請求項１に記載のワイヤーハーネス用部材セットであって、
前記保持部材の前記取付部の前記挿入穴では、前記第１係合部が前記第２係合部よりも挿入口側に配置され、
前記挿入穴の内面には、前記第１係合部としての第１係合突起部が設けられ、
前記クリップ部材の前記第２挿入部は、
前記クリップ部に繋がった接続部分と、
前記接続部分から延びる、弾性変形可能な脚部分と
を有し、
前記脚部分の外面には、前記第５係合部としての第５係合突起部が設けられ、
前記挿入穴に前記第２挿入部が前記脚部分から挿入される際には、前記脚部分が弾性変形しながら前記第５係合突起部が前記第１係合突起部を乗り越えて前記第２係合部に係合する、ワイヤーハーネス用部材セット。
【請求項３】
請求項１及び請求項２のいずれか一つに記載のワイヤーハーネス用部材セットが備える保持部材。
【請求項４】
請求項１及び請求項２のいずれか一つに記載のワイヤーハーネス用部材セットが備える連結部材。
【請求項５】
請求項１及び請求項２のいずれか一つに記載のワイヤーハーネス用部材セットが備えるクリップ部材。
【請求項６】
複数の請求項３に記載の保持部材で保持されたワイヤーハーネスであって、
複数の前記保持部材において二つの保持部材が請求項４に記載の連結部材で連結されることによって束ねられている、ワイヤーハーネス。
【請求項７】
請求項３に記載の保持部材で保持されたワイヤーハーネスであって、
前記保持部材には、請求項５に記載のクリップ部材が取り付けられている、ワイヤーハーネス。
【請求項８】
請求項１及び請求項２のいずれか一つに記載のワイヤーハーネス用部材セットの使用方法であって、
（ａ）前記ワイヤーハーネス用部材セットが備える二つの保持部材でワイヤーハーネスを保持し、当該二つの保持部材を前記ワイヤーハーネス用部材セットが備える連結部材で連結することによって当該ワイヤーハーネスを束ねる工程と、
（ｂ）前記ワイヤーハーネスを保持する前記保持部材に取り付けられた前記連結部材の代わりに前記ワイヤーハーネス用部材セットが備えるクリップ部材を当該保持部材に取り付ける工程と
を備える、ワイヤーハーネス用部材セットの使用方法。
【発明の詳細な説明】
【技術分野】
【０００１】
本発明は、ワイヤーハーネスに使用される部材に関する。
【背景技術】
【０００２】
従来からワイヤーハーネスに関して様々な技術が提案されている。特許文献１及び２には、ワイヤーハーネスを束ねるための部材が開示されている。また特許文献３には、ワイヤーハーネスを車体パネル等の取付対象物に固定するための部材が開示されている。
【先行技術文献】
【特許文献】
【０００３】
【特許文献１】特開２０００−３５０３３７号公報
【特許文献２】特開２００８−３７４６５号公報
【特許文献３】特開平１１−２１５６６７号公報
【発明の概要】
【発明が解決しようとする課題】
【０００４】
ワイヤーハーネスは、環状等に束ねられた荷姿の状態で梱包ケース内に収められて出荷されることがある。この場合には、出荷されたワイヤーハーネスは、束ねられた荷姿の状態が解除された後に車両等に配策され、車体パネル等の取付対象物に固定される。
【０００５】
特許文献１及び２に記載されているような、ワイヤーハーネスを束ねるための結束部材が、ワイヤーハーネスの結束状態が解除された後においても、ワイヤーハーネスに取り付けられていると、結束部材が周囲と干渉して異音が発生する可能性がある。異音の発生を抑制するためには、ワイヤーハーネスのレイアウトを工夫したり、結束部材の近くでワイヤーハーネスを取付対象物に固定したりするなどの対策が必要となり、好ましくない。
【０００６】
さらには、結束部材の重さの分、ワイヤーハーネスが重くなることから、取り扱いが難しくなる。また、一時的にしか使用されない結束部材の存在がワイヤーハーネスのコストアップの要因となる。
【０００７】
そこで、本発明は上述の点に鑑みて成されたものであり、ワイヤーハーネスを束ねる際に使用される部材を使用して当該ワイヤーハーネスを取付対象物に固定することが可能な技術を提供することを目的とする。
【課題を解決するための手段】
【０００８】
第１の態様に係るワイヤーハーネス用部材セットは、それぞれがワイヤーハーネスを保持する複数の保持部材と、二つの前記保持部材を互いに連結し、当該各保持部材の取付部に着脱可能な連結部材と、前記保持部材が保持するワイヤーハーネスが固定される取付対象物の取付穴に係止するクリップ部を有し、当該保持部材の前記取付部に取り付けられるクリップ部材とを備え、前記保持部材の前記取付部には挿入穴が設けられ、前記挿入穴の内面には第１及び第２係合部が設けられ、前記連結部材は、当該連結部材が連結する二つの前記保持部材において、一方の保持部材の前記挿入穴に対して一方の端部から着脱可能に挿入されるとともに、他方の保持部材の前記挿入穴に対して他方の端部から着脱可能に挿入される第１挿入部と、前記第１挿入部が前記一方の端部から前記挿入穴に挿入された際に当該挿入穴の前記第１係合部と係合する第３係合部と、前記第１挿入部が前記他方の端部から前記挿入穴に挿入された際に当該挿入穴の前記第１係合部と係合する第４係合部とを有し、前記第１挿入部が前記一方の端部から前記挿入穴に挿入されると、当該挿入穴の前記第１係合部と前記第３係合部とが係合して、当該挿入穴に当該第１挿入部が取り付けられ、前記第１挿入部が前記他方の端部から前記挿入穴に挿入されると、当該挿入穴の前記第１係合部と前記第４係合部とが係合して、当該挿入穴に当該第１挿入部が取り付けられ、前記挿入穴に前記一方の端部から挿入された前記第１挿入部が当該挿入穴から取り出される際には、当該挿入穴の前記第１係合部と前記第３係合部との係合が解除され、前記挿入穴に前記他方の端部から挿入された前記第１挿入部が当該挿入穴から取り出される際には、当該挿入穴の前記第１係合部と前記第４係合部との係合が解除され、前記クリップ部材は、前記保持部材の前記挿入穴に挿入される第２挿入部と、前記第２挿入部の表面に設けられ、前記保持部材の前記第２係合部と係合する第５係合部とを有し、前記挿入穴に前記第２挿入部が挿入されると、前記第２及び第５係合部が係合して、当該挿入穴に当該第２挿入部が取り付けられる。
【００１０】
第２の態様に係るワイヤーハーネス用部材セットは、第１の態様に係るワイヤーハーネス用部材セットであって、前記保持部材の前記取付部の前記挿入穴では、前記第１係合部が前記第２係合部よりも挿入口側に配置され、前記挿入穴の内面には、前記第１係合部としての第１係合突起部が設けられ、前記クリップ部材の前記第２挿入部は、前記クリップ部に繋がった接続部分と、前記接続部分から延びる、弾性変形可能な脚部分とを有し、前記脚部分の表面には、前記第５係合部としての第５係合突起部が設けられ、前記挿入穴に前記第２挿入部が前記脚部分から挿入される際には、前記脚部分が弾性変形しながら前記第５係合突起部が前記第１係合突起部を乗り越えて前記第２係合部に係合する。
【００１１】
第３の態様に係る保持部材は、第１及び第２の態様のいずれか一つに係るワイヤーハーネス用部材セットが備える保持部材である。
【００１２】
第４の態様に係る連結部材は、第１及び第２の態様のいずれか一つに係るワイヤーハーネス用部材セットが備える連結部材である。
【００１３】
第５の態様に係るクリップ部材は、第１及び第２の態様のいずれか一つに係るワイヤーハーネス用部材セットが備えるクリップ部材である。
【００１４】
第６の態様に係るワイヤーハーネスは、複数の第３の態様に係る保持部材で保持されたワイヤーハーネスであって、複数の前記保持部材において二つの保持部材が第４の態様に係る連結部材で連結されることによって束ねられている。
【００１５】
第７の態様に係るワイヤーハーネスは、第３の態様に係る保持部材で保持されたワイヤーハーネスであって、前記保持部材には、第５の態様に係るクリップ部材が取り付けられている。
【００１６】
第８の態様に係るワイヤーハーネス用部材セットの使用方法は、第１及び第２の態様のいずれか一つに係るワイヤーハーネス用部材セットの使用方法であって、（ａ）前記ワイヤーハーネス用部材セットが備える二つの保持部材でワイヤーハーネスを保持し、当該二つの保持部材を前記ワイヤーハーネス用部材セットが備える連結部材で連結することによって当該ワイヤーハーネスを束ねる工程と、（ｂ）前記ワイヤーハーネスを保持する前記保持部材に取り付けられた前記連結部材の代わりに前記ワイヤーハーネス用部材セットが備えるクリップ部材を当該保持部材に取り付ける工程とを備える。
【発明の効果】
【００１７】
第１乃至第８の態様によれば、ワイヤーハーネスを束ねる際に使用される保持部材を使用して当該ワイヤーハーネスを取付対象物に固定することができる。さらに、連結部材が保持部材に着脱可能であることから、ワイヤーハーネスの結束及びその解除を繰り返して行うことができる。
【００１８】
特に第２の態様によれば、クリップ部材の挿入部が保持部材の挿入穴に挿入される際には、当該挿入部に設けられた脚部分が弾性変形しながら当該脚部分の表面に設けられた第５係合部が当該挿入穴の内面に設けられた第１係合部を乗り越えて、当該内面に設けられた第２係合部と係合するため、クリップ部材の挿入部が保持部材の挿入穴に挿入される際に第５係合部が第１係合部に当たる場合であっても、当該挿入部を当該挿入穴に挿入し易くなる。よって、作業性が向上する。
【図面の簡単な説明】
【００１９】
【図１】保持部材を示す正面図である。
【図２】保持部材を示す側面図である。
【図３】保持部材を示す斜視図である。
【図４】保持部材の取付部の断面構造を示す図である。
【図５】保持部材の取付部の断面構造を示す図である。
【図６】連結部材を示す斜視図である。
【図７】保持部材の取付部に連結部材が取り付けられる様子を示す図である。
【図８】保持部材の取付部に連結部材が取り付けられる様子を示す図である。
【図９】クリップ部材を示す正面図である。
【図１０】クリップ部材を示す側面図である。
【図１１】クリップ部材の挿入部を示す斜視図である。
【図１２】保持部材の取付部にクリップ部材が取り付けられる様子を示す図である。
【図１３】保持部材の取付部にクリップ部材が取り付けられる様子を示す図である。
【図１４】ワイヤーハーネスが束ねられている様子を示す図である。
【図１５】ワイヤーハーネスを保持する二つの保持部材が一つの連結部材で連結されている様子を示す図である。
【図１６】ワイヤーハーネスが取付対象物に固定されている様子を示す図である。
【発明を実施するための形態】
【００２０】
図１〜３は、それぞれ、実施の形態に係るワイヤーハーネス用部材セットが備える保持部材１を示す正面図、側面図及び斜視図である。図２は、図１に示される保持部材１を紙面左側から見た際の側面図である。保持部材１は、複数の電線から成る電線束を有するワイヤーハーネスを保持する部材であって、例えば樹脂で形成されている。
【００２１】
図１〜３に示されるように、保持部材１は、ワイヤーハーネスを保持する保持部１００と、後述する連結部材２及びクリップ部材３が取り付けられる取付部１１０とを備えている。保持部１００と取付部１１０とは一体成形されている。
【００２２】
保持部１００は、ワイヤーハーネスに巻き付けられるバンド部１０１と、バンド部１０１が係止するバンド係止部１０５とを備えている。バンド部１０１は、バンド係止部１０５から延びており、その一端が自由端となっており、ワイヤーハーネスに巻き付けられて当該ワイヤーハーネスを保持する。バンド部１０１の一方の主面１０２には、当該バンド部１０１の長手方向に沿って複数の係止溝１０４が設けられている。バンド部１０１は、一方の主面１０２を外側にして、言い換えれば当該主面１０２とは反対側の主面１０３を内側にして、ワイヤーハーネスに対して巻き付けられる。
【００２３】
バンド係止部１０５は、ワイヤーハーネスに対して巻き付けられたバンド部１０１と係止して、その状態を維持する。バンド係止部１０５には、バンド部１０１が挿通される挿通穴１０６が設けられている。この挿通穴１０６には、バンド部１０１の係止溝１０４と係止する係止片１０７が設けられている。バンド部１０１が、その先端からバンド係止部１０５の挿通穴１０６に挿通されると、バンド係止部１０５の係止片１０７は、バンド部１０１の複数の係止溝１０４のうちの一つと係止して、バンド部１０１が挿通穴１０６から抜けないようになっている。
【００２４】
取付部１１０は、バンド係止部１０５上に設けられており、バンド部１０１とは反対側でバンド係止部１０５と繋がっている。バンド部１０１は、バンド係止部１０５から、取付部１１０とは反対側に向かって延びている。
【００２５】
取付部１１０は、例えば円柱状を成している。取付部１１０の表面は、互いに対向する二つの円形表面１２０，１２１と、当該二つの円形表面１２０，１２１を繋ぐ円柱面１２２とで構成されている。取付部１１０の中央部には、連結部材２及びクリップ部材３が挿入される挿入穴１１１が設けられている。挿入穴１１１は、例えば四角柱形状を成しており、取付部１１０の一方の円形表面１２０の中央部に向かって開口している。したがって、連結部材２及びクリップ部材３は、円形表面１２０側から挿入穴１１１に挿入される。取付部１１０の他方の円形表面１２１はバンド係止部１０５と繋がっている。なお、後述するように、連結部材２は挿入穴１１１に着脱可能に挿入される。つまり、連結部材２は挿入穴１１１に対して抜き差し能となっている。
【００２６】
挿入穴１１１の内面は、互いに対向する一対の側面１１２ａと、当該一対の側面１１２ａの対向方向に対して垂直な方向で互いに対向する一対の側面１１２ｂと、底面１１２ｄとで構成されている。一対の側面１１２ａには、一対の第１係合部１１３がそれぞれ設けられている。一対の第１係合部１１３は、一対の側面１１２ａに垂直な方向で互いに対向している。また一対の側面１１２ａには、一対の第２係合部１１４がそれぞれ設けられている。一対の第２係合部１１４は、一対の側面１１２ａに垂直な方向で互いに対向している。第１係合部１１３は例えば係合突起部であって、第２係合部１１４は例えば係合凹部である。以後、第１係合部１１３を「第１係合突起部１１３」と呼び、第２係合部１１４を「第２係合凹部１１４」と呼ぶことがある。
【００２７】
図４，５は保持部材１のうち取付部１１０だけの断面構造を示す図である。図４には、側面１１２ａに垂直な面での取付部１１０の断面構造が示されている。図５には、側面１１２ｂに垂直な面での取付部１１０の断面構造が示されている。
【００２８】
第１係合突起部１１３は、側面１１２ａにおける、挿入穴１１１の深さ方向の略中央部に設けられている。第１係合突起部１１３の表面には、側面１１２ａに対して傾斜した第１傾斜面１１３ａ及び第２傾斜面１１３ｂが設けられている。第１傾斜面１１３ａは、側面１１２ａから一方の円形表面１２１側（底面１１２ｄ側）に斜め方向に延びている。第２傾斜面１１３ｂは、側面１１２ａから他方の円形表面１２０側（挿入穴１１１の挿入口側）に斜め方向に延びている。第１傾斜面１１３ａの側面１１２ａとは反対側の端辺と、第２傾斜面１１３ｂの側面１１２ａとは反対側の端辺とは繋がっている。これにより、第１係合突起部１１３における、側面１１２ａに垂直な面での断面構造は三角形となっている。
【００２９】
側面１１２ａにおける、第１係合突起部１１３と繋がった領域と、第１傾斜面１１３ａとが成す角度は、当該領域と第２傾斜面１１３ｂとが成す角度よりも小さくなっている。したがって、挿入穴１１１への連結部材２（クリップ部材３）の挿入方向（図４では上側から下側に向かう方向）から第１傾斜面１１３ａを見ると、当該第１傾斜面１１３ａは比較的緩やかな斜面となっている。一方で、挿入穴１１１からの連結部材２の抜去方向（図４では下側から上側に向かう方向）から第２傾斜面１１３ｂを見ると、当該第２傾斜面１１３ｂは比較的急な斜面となっている。後述するように、第１係合突起部１１３は、挿入穴１１１に挿入される連結部材２が有する係合部と係合する。
【００３０】
第２係合凹部１１４は、第１係合突起部１１３よりも底面１１２ｄ側（奥側）に設けられている。具体的には、第２係合凹部１１４は、側面１１２ａにおける、挿入穴１１１の深さ方向に沿った両端部のうちの底面１１２ｄ側（奥側）の端部に設けられている。第２係合凹部１１４は四角柱形状を成している。第２係合凹部１１４は、後述するように、挿入穴１１１に挿入されるクリップ部材３が有する係合部と係合する。
【００３１】
図６は、実施の形態に係るワイヤーハーネス用部材セットを備える連結部材２を示す斜視図である。連結部材２は、二つの保持部材１を互いに連結する部材であって、例えば樹脂で形成されている。連結部材２は、保持部材１の取付部１１０に対して着脱可能となっている。
【００３２】
図６に示されるように、連結部材２は、保持部材１の取付部１１０の挿入穴１１１に挿入される挿入部２００と、一対の第１係合部２１０と、一対の第２係合部２２０とを備えている。挿入部２００は、例えば、棒状部分であって、四角柱形状を成している。挿入部２００が、その長手方向の一方の端部２０５からある保持部材１の挿入穴１１１に挿入され、その長手方向の他方の端部２０６から別の保持部材１の挿入穴１１１に挿入されることによって、当該ある保持部材１と当該別の保持部材１とは互いに連結される。挿入部２００は挿入穴１１１に対して着脱可能に挿入される。挿入部２００の表面は、互いに対向する一対の側面２０１と、当該一対の側面２０１の対向方向に垂直な方向で互いに対向する一対の側面２０２と、当該挿入部２００の長手方向で対向する一対の端面２０３とで構成されている。
【００３３】
一対の第１係合部２１０は、一対の側面２０１に垂直な方向で互いに対向するように当該一対の側面２０１にそれぞれ設けられている。一対の第２係合部２２０は、一対の側面２０１に垂直な方向で互いに対向するように当該一対の側面２０１にそれぞれ設けられている。第１係合部２１０は、挿入部２００の一方の端部２０５に設けられている。具体的には、第１係合部２１０は、側面２０１における、挿入部２００の長手方向の一方の端部に設けられている。第２係合部２２０は、挿入部２００の他方の端部２０６に設けられている。具体的には、第２係合部２２０は、側面２０１における、挿入部２００の長手方向の他方の端部に設けられている。第１係合部２１０は例えば係合突起部であって、第２係合部２２０は例えば係合突起部である。第１係合部２１０及び第２係合部２２０は、保持部材１の第１係合部１１３と同様の形状を有している。以後、第１係合部２１０を「第１係合突起部２１０」と呼び、第２係合部２２０を「第２係合突起部２２０」と呼ぶことがある。
【００３４】
連結部材２では、一対の第１係合突起部２１０の構造が、挿入部２００の長さ方向を対称軸とした軸対称となっている。同様に、一対の第２係合突起部２２０の構造が、挿入部２００の長さ方向を対称軸とした軸対称となっている。また、一対の第１係合突起部２１０の構造と、一対の第２係合突起部２２０の構造とが、一対の側面２０１に垂直な方向を対称軸とした軸対称となっている。第１係合突起部２１０の高さ（側面２０１からの突出距離）と、第２係合突起部２２０の高さ（側面２０１からの突出距離）とは、保持部材１の第１係合突起部１１３の高さ（側面１１２ａからの突出距離）と一致している。
【００３５】
第１係合突起部２１０の表面には、側面２０１に対して傾斜する第１傾斜面２１０ａ及び第２傾斜面２１０ｂが設けられている。第１傾斜面２１０ａは、側面２０１から端部２０６側に斜め方向に延びている。第２傾斜面２１０ｂは、側面２０１から端部２０５側に斜め方向に延びている。第１傾斜面２１０ａの側面２０１とは反対側の端辺と、第２傾斜面２１０ｂの側面２０１とは反対側の端辺とは繋がっている。これにより、第１係合突起部２１０における、側面２０１に垂直な面での断面構造は三角形となっている。
【００３６】
側面２０１における、第１係合突起部２１０と繋がった領域と、第１傾斜面２１０ａとが成す角度は、当該領域と第２傾斜面２１０ｂとが成す角度よりも小さくなっている。したがって、第１係合突起部２１０が設けられた端部２０５側の端面２０３の方から第１傾斜面２１０ａを見ると、当該第１傾斜面２１０ａは比較的緩やかな斜面となっている。一方で、端部２０５とは反対側の端部２０６側の端面２０３の方から第２傾斜面２１０ｂを見ると、当該第２傾斜面２１０ｂは比較的急な斜面となっている。挿入部２００が、その端部２０５側から保持部材１の挿入穴１１１に挿入されると、当該挿入穴１１１に内面に設けられた一対の第１係合突起部１１３と、当該挿入部２００の表面に設けられた一対の第１係合突起部２１０とがそれぞれ係合するようになる。
【００３７】
同様にして、第２係合突起部２２０の表面には、側面２０１に対して傾斜する第１傾斜面２２０ａ及び第２傾斜面２２０ｂが設けられている。第１傾斜面２２０ａは、側面２０１から端部２０５側に斜め方向に延びている。第２傾斜面２２０ｂは、側面２０１から端部２０６側に斜め方向に延びている。第１傾斜面２２０ａの側面２０１とは反対側の端辺と、第２傾斜面２２０ｂの側面２０１とは反対側の端辺とは繋がっている。これにより、第２係合突起部２２０における、側面２０１に垂直な面での断面構造は三角形となっている。
【００３８】
側面２０１における、第２係合突起部２２０と繋がった領域と、第１傾斜面２２０ａとが成す角度は、当該領域と第２傾斜面２２０ｂとが成す角度よりも小さくなっている。したがって、第２係合突起部２２０が設けられた端部２０６側の端面２０３の方から第１傾斜面２２０ａを見ると、当該第１傾斜面２２０ａは比較的緩やかな斜面となっている。一方で、端部２０５側の端面２０３の方から第２傾斜面２２０ｂを見ると、当該第２傾斜面２２０ｂは比較的急な斜面となっている。挿入部２００が、その端部２０６側から保持部材１の挿入穴１１１に挿入されると、当該挿入穴１１１に内面に設けられた一対の第１係合突起部１１３と、当該挿入部２００の表面に設けられた一対の第２係合突起部２２０とがそれぞれ係合するようになる。
【００３９】
図７，８は、連結部材２の挿入部２００が、その端部２０６側から保持部材１の挿入穴１１１に挿入される様子を示す図である。図７，８では、保持部材１のうち取付部１１０だけが示されており、当該取付部１１０についてはその断面構造が示されている。
【００４０】
図７に示されるように、連結部材２の挿入部２００は、その一対の側面２０１が挿入穴１１１の一対の側面１１２ａとそれぞれ対向するように、当該挿入部２００の端部２０６から当該挿入穴１１１に挿入される。そして、挿入部２００が挿入穴１１１に挿入されていくと、挿入部２００の端部２０６の表面に設けられた一対の第２係合突起部２２０の第１傾斜面２２０ａと、挿入穴１１１の内面に設けられた一対の第１係合突起部１１３の第１傾斜面１１３ａとがそれぞれ当接するようになる。
【００４１】
挿入部２００がさらに挿入穴１１１に挿入されていくと、図８に示されるように、一対の第２係合突起部２２０が一対の第１係合突起部１１３をそれぞれ乗り越えて当該一対の第１係合突起部１１３とそれぞれ係合するようになる。このとき、第２係合突起部２２０の第１傾斜面２２０ａと第１係合突起部１１３の第１傾斜面１１３ａとが互いに押し合うことによって第２係合突起部２２０及び第１係合突起部１１３が弾性変形しながら、第２係合突起部２２０が第１係合突起部１１３を乗り越えていく。第２係合突起部２２０が第１係合突起部１１３を乗り越えると、第２係合突起部２２０の第２傾斜面２２０ｂと、第１係合突起部１１３の第２傾斜面１１３ｂとが係合するようになる。これにより、連結部材２の挿入部２００は、保持部材１の挿入穴１１１内で保持されるように当該挿入穴１１１に取り付けられる。本実施の形態では、上述のように、第２係合突起部２２０の第１傾斜面２２０ａを端部２０６側の端面２０３の方から見ると、第１傾斜面２２０ａは緩やかな斜面となっており、第１係合突起部１１３の第１傾斜面１１３ａを挿入部２００の挿入方向から見ると、第１傾斜面１１３ａは緩やかな斜面となっていることから、挿入穴１１１に対して挿入部２００が挿入し易くなっている。
【００４２】
図８の例では、挿入部２００が挿入穴１１１に取り付けられた状態では、挿入穴１１１の深さ方向（図８での縦方向）において挿入部２００の遊びが無い状態となっているが、挿入部２００の遊びを設けても良い。具体的には、挿入部２００が挿入穴１１１に取り付けられた状態において、挿入部２００の端部２０６側の端面２０３と、挿入穴１１１の底面１０２ｄとの間に遊びを設けて、挿入穴１１１に取り付けられた挿入部２００が、挿入穴１１１の深さ方向に沿って多少移動することが可能となるようにしても良い。
【００４３】
また、図８の例では、挿入部２００が挿入穴１１１に取り付けられた状態では、一対の第１側面１１２ａに垂直な方向（図８での横方向）において挿入部２００の遊びが無い状態となっているが、挿入部２００の遊びを設けても良い。具体的には、挿入部２００が挿入穴１１１に取り付けられた状態において、第２係合突起部２２０と挿入穴１１１の側面１１２ａとの間に遊びを設けるとともに、第１係合突起部１１３と挿入部２００の側面２０１との間に遊びを設けて、挿入穴１１１に取り付けられた挿入部２００が、一対の側面１１２ａに垂直な方向に沿って多少移動することが可能となるようにしても良い。
【００４４】
端部２０６側から挿入穴１１１に挿入された挿入部２００が当該挿入穴１１１から取り出される際には、一対の第２係合突起部２２０が一対の第１係合突起部１１３をそれぞれ乗り越えて、当該一対の第２係合突起部２２０と当該一対の第１係合突起部１１３との係合が解除される。このとき、第２係合突起部２２０の第２傾斜面２２０ｂと第１係合突起部１１３の第２傾斜面１１３ｂとが互いに押し合うことによって第２係合突起部２２０及び第１係合突起部１１３が弾性変形しながら、第２係合突起部２２０が第１係合突起部１１３を乗り越えていく。本実施の形態では、上述のように、第２係合突起部２２０の第２傾斜面２２０ｂを、端部２０６側の端面２０３とは反対側の端面２０３の方から見ると、当該第２傾斜面２２０ｂは急な斜面となっており、第１係合突起部１１３の第２傾斜面１１３ｂを挿入部２００の抜去方向から見ると、当該第２傾斜面１１３ｂは急な斜面となっていることから、挿入穴１１１から挿入部２００が抜けにくくなっている。
【００４５】
なお、連結部材２の挿入部２００がその端部２０５側から保持部材１の挿入穴１１１に挿入される場合には、同様にして、当該端部２０５の表面に設けられた一対の第１係合突起部２１０が、挿入穴１１１の内面に設けられた一対の第１係合突起部１１３をそれぞれ乗り越えて当該一対の第１係合突起部１１３とそれぞれ係合するようになる。また、端部２０５側から挿入穴１１１に挿入された挿入部２００が当該挿入穴１１１から取り出される際には、一対の第１係合突起部２１０が一対の第１係合突起部１１３をそれぞれ乗り越えて、当該一対の第１係合突起部２１０と当該一対の第１係合突起部１１３との係合が解除される。
【００４６】
図９，１０は、それぞれは、クリップ部材３を示す正面図及び側面図である。クリップ部材３は、保持部材１の取付部１１０に対して、連結部材２の代わりに取り付けられる。クリップ部材３は、保持部材１が保持するワイヤーハーネスを車両パネル等の取付対象物に固定するための部材である。
【００４７】
図９，１０に示されるように、クリップ部材３は、クリップ部３００と、保持部材１の挿入穴１１１に挿入されて固定される挿入部３１０と、当該挿入穴１１１の内面に設けられた一対の第２係合凹部１１４とそれぞれ係合する一対の係合部３２０とを備えている。クリップ部３００は、保持部材１が保持するワイヤーハーネスが固定される取付対象物の取付穴に対して、当該取付穴から抜けないように係止する。以後、「取付対象物」と言えば、保持部材１が保持するワイヤーハーネスが固定される取付対象物を意味する。
【００４８】
クリップ部３００は、挿入部３１０から延びる軸部３０１と、当該軸部３０１の先端からその根本の方へ折り返された一対の係止羽根部３０２とを備えている。一対の係止羽根部３０２は、軸部３０１を間に挟んで互いに対向配置されており、それらの先端部（挿入部３１０側の端部）が互いに近づくように弾性変形可能である。一対の係止羽根部３０２のそれぞれの先端部には、係止段部３０３が設けられている。クリップ部３００がその先端から取付対象物の取付穴に差し込まれる際には、一対の係止羽根部３０２がそれらの先端部が違いに近づくように弾性変形しながら、当該取付穴内をクリップ部３００が進んでいく。そして、クリップ部３００が取付対象物の取付穴に差し込まれると、一対の係止羽根部３０２の係止段部３０３が、取付対象物における、取付穴の周辺の部分に係止する。これにより、クリップ部３００が取付対象物の取付穴に取り付けられる。
【００４９】
図１１は、クリップ部材３のうち挿入部３１０及び一対の係合部３２０だけを示す斜視図である。図９〜１１に示されるように、挿入部３１０は、例えば、棒状部分であって、四角柱形状を成している。挿入部３１０の表面は、互いに対向する一対の側面３１０ａと、当該一対の側面３１０ａの対向方向に垂直な方向で互いに対向する一対の側面３１０ｂと、当該挿入部３１０の長手方向で対向する一対の端面３１０ｃとで構成されている。
【００５０】
クリップ部３００の軸部３０１は、一対の端面３１０ｃのうちの一方の端面３１０ｃから挿入部３１０の長手方向に沿って延びている。一対の端面３１０ｃのうちの他方の端面３１０ｃには、一方の側面３１０ｂから他方の側面３１０ｂまで達するように凹部（溝部）３１０ｄが設けられている。この凹部３１０ｄは、当該他方の端面３１０ｃと、軸部３０１と繋がった一方の端面３１０ｃとの間の略中間地点まで達している。挿入部３１０では、凹部３１０ｄが形成されていない部分が、クリップ部３００と繋がった接続部分３１１となっており、凹部３１０ｄが形成されている部分が、当該接続部分３１１から延びる一対の脚部分３１２となっている。一対の脚部分３１２は、接続部分３１１におけるクリップ部３００側とは反対側から、クリップ部３００側とは反対側に向けて延びている。一対の脚部分３１２は隙間を空けて互いに対向配置されている。クリップ部材３は、一対の脚部分３１２から保持部材１の挿入穴１１１に挿入される。一対の脚部分３１２は、それらの先端部が互いに近づくように弾性変形可能である。
【００５１】
一対の係合部３２０は、一対の脚部分３１２の外面（外側の表面）３１２ａにそれぞれ設けられている。係合部３２０は、脚部分３１２の外面３１２ａにおける、当該脚部分３１２の先端側の端部（接続部分３１１側とは反対側の端部）に設けられている。言い換えれば、係合部３２０は、挿入部３１０の側面３１０ａにおける、クリップ部３００側とは反対側の端部に設けられている。係合部３２０は、例えば係合突起部である。以後、係合部３２０を「係合突起部３２０」と呼ぶことがある。
【００５２】
係合突起部３２０の表面は、脚部分３１２の外面３１２ａから外側に向けて、当該外面３１２ａに対して垂直な方向に延びる垂直面３２１を有している。この垂直面３２１は、挿入部３１０が保持部材１の挿入穴１１１に挿入された際に、当該挿入部３１０を当該挿入穴１１１から取り出そうとする方向（抜去方向）に対して垂直を成している。
【００５３】
また、係合突起部３２０の表面は、脚部分３１２の外面３１２ａにおいて、垂直面３２１よりも脚部分３１２の先端側の箇所（より詳細には、脚部分３１２の外面３１２ａにおいて、当該脚部分３１２の先端側の端辺）から、垂直面３２１における外面３１２ａとは反対側の端辺に向けて延びる凸状のＲ曲面３２２を有している。このＲ曲面３２２の軸方向（Ｒ曲面３２２の半径方向に垂直な方向）は、挿入穴１１１に対する挿入部３１０の挿入方向に対して垂直を成している。挿入部３１０が挿入穴１１１に挿入される際には、挿入穴１１１の内面に設けられた第１係合突起部１１３の第１傾斜面１１３ａに対してＲ曲面３２２が当接する。係合突起部３２０の高さ（外面３１２ａからの突出距離）は、保持部材１の第１係合突起部１１３の高さよりも大きく、連結部材２の第１係合突起部２１０及び第２係合突起部２２０の高さもよりも大きくなっている。
【００５４】
図１２，１３は、クリップ部材３の挿入部３１０が、その一対の脚部分３１２から保持部材１の挿入穴１１１に挿入される様子を示す図である。図１２，１３では、保持部材１のうち取付部１１０だけが示されており、当該取付部１１０についてはその断面構造が示されている。
【００５５】
図１２に示されるように、クリップ部材３の挿入部３１０は、その一対の脚部分３１２の外面３１２ａが挿入穴１１１の一対の側面１１２ａとそれぞれ対向するように、当該一対の脚部分３１２から当該挿入穴１１１に挿入される。このとき、一対の脚部分３１２は、それらの先端部が互いに近づくように少し弾性変形した状態で挿入穴１１１に挿入される。そして、挿入部３１０が挿入穴１１１に挿入されていくと、一対の脚部分３１２の外面３１２ａにそれぞれ設けられた一対の係合突起部３２０のＲ曲面３２２と、挿入穴１１１の内面に設けられた一対の第１係合突起部１１３の第１傾斜面１１３ａとがそれぞれ当接するようになる。
【００５６】
挿入部３１０がさらに挿入穴１１１に挿入されていくと、一対の係合突起部３２０が、一対の第１係合突起部１１３の第１傾斜面１１３ａ上をそれぞれ滑りながら挿入穴１１１のさらに奥まで進んでいく。このとき、一対の脚部分３１２はそれらの先端部が徐々に互いに近づくように内側に弾性変形する。係合突起部３２０は、そのＲ曲面３２２が第１傾斜面１１３ａと当接しながら当該第１傾斜面１１３ａ上を滑ることから、係合突起部３２０は第１傾斜面１１３ａ上を滑りやすくなっている。これにより、挿入部３１０を挿入穴１１１に対して挿入し易くなる。
【００５７】
一対の係合突起部３２０が、一対の第１係合突起部１１３の第１傾斜面１１３ａ上をそれぞれ滑って、当該第１傾斜面１１３ａの端までそれぞれくると、一対の係合突起部３２０が一対の第１係合突起部１１３をそれぞれ乗り越えるようになって、一対の第１係合突起部１１３よりも奥の方まで挿入穴１１１を進入するようになる。
【００５８】
その後、挿入部３１０がさらに挿入穴１１１に挿入されていくと、図１３に示されるように、一対の係合突起部３２０は、挿入穴１１１の内面に設けられた一対の第２係合凹部１１４にそれぞれ係合するようになる。係合突起部３２０は、第２係合凹部１１４に入り込んで、当該第２係合凹部１１４と嵌合する。係合突起部３２０の高さは、それが乗り越えた第１係合突起部１１３の高さよりも大きくなっていることから、係合突起部３２０は第２係合凹部１１４と嵌合することが可能となっている。
【００５９】
係合突起部３２０と第２係合凹部１１４とが係合（嵌合）した状態では、係合突起部３２０の垂直面３２１は、第２係合凹部１１４の上面（挿入部３１０を挿入穴１１１から取り出そうとする方向に対して垂直な面）と係合するようになる。具体的には、係合突起部３２０の垂直面３２１は、第２係合凹部１１４の上面に当たるようになる。これにより、挿入部３１０は挿入穴１１１に固定されて、挿入部３１０が挿入穴１１１から抜けないようになっている。
【００６０】
図１３の例では、挿入部３１０が挿入穴１１１に取り付けられた状態では、挿入穴１１１の深さ方向において挿入部３１０の遊びが無いが、当該遊びを設けても良い。具体的には、挿入部３１０が挿入穴１１１に取り付けられた状態において、挿入部３１０の一対の脚部分３１２の先端と、挿入穴１１１の底面１０２ｄとの間に遊びを設けて、挿入穴１１１に取り付けられた挿入部３１０を、挿入穴１１１の深さ方向に沿って多少移動可能としても良い。
【００６１】
また、図１３の例では、挿入部３１０が挿入穴１１１に取り付けられた状態では、挿入穴１１１の一対の側面１１２ａに垂直な方向において挿入部３１０の遊びが無いが、当該遊びを設けても良い。具体的には、挿入部３１０が挿入穴１１１に取り付けられた状態において、第１係合突起部１１３と脚部分３１２との間に遊びを設けて、挿入穴１１１に取り付けられた挿入部３１０が、一対の側面１１２ａに垂直な方向に沿って多少移動可能としても良い。
【００６２】
以上のような保持部材１、連結部材２及びクリップ部材３を備えるワイヤーハーネス用部材セットを用いることによって、ワイヤーハーネスを束ねることができるととともに、ワイヤーハーネスを取付対象物に固定することができる。具体的には、保持部材１と連結部材２とを使用してワイヤーハーネスを束ねることができ、保持部材１とクリップ部材３を使用してワイヤーハーネスを取付対象物に固定することができる。以下に、ワイヤーハーネス用部材セットの使用方法について詳細に説明する。
【００６３】
図１４は保持部材１及び連結部材２が使用されてワイヤーハーネス５００が束ねられている様子の一例を示す図である。図１４の例では、二つの保持部材１とそれらを連結する一つの連結部材２とが使用されてワイヤーハーネス５００が束ねられている。図１５は、ワイヤーハーネス５００を保持する二つの保持部材１が一つの連結部材２で連結されている様子を示す図である。なお、ワイヤーハーネス５００を束ねる際に使用する保持部材１及び連結部材２の数はこの限りではない。
【００６４】
図１４に示されるワイヤーハーネス５００では、複数の電線から成る電線束５０１がコルゲートチューブ等の被覆部材５０２で覆われている。そして、電線束５０１の一方端及び他方端にはそれぞれコネクタ５０３が取り付けられている。図１４の例では、ワイヤーハーネス５００は、環状に複数回巻かれるようにして束ねられている。
【００６５】
二つの保持部材１は、ワイヤーハーネス５００の互いに離れた部分を保持している。各保持部材１は、その保持部１００のバンド部１０１が被覆部材５０２に巻き付けられることによって、ワイヤーハーネス５００を保持している。二つの保持部材１の取付部１１０には一つの連結部材２の挿入部２００が取り付けられている。ワイヤーハーネス５００を保持する二つの保持部材１は、ワイヤーハーネス５００を環状に束ねるようにして連結部材２で連結されている。保持部材１及び連結部材２が使用されて束ねられたワイヤーハーネス５００は、この荷姿状態で梱包ケース内に例えば複数個収められて出荷される。なお、ワイヤーハーネス５００の束ね方（荷姿状態）はこの限りではない。
【００６６】
束ねられた状態で出荷されたワイヤーハーネス５００は、その結束状態が解除された後に、車両等に配策されて、車体パネル等の取付対象物に固定される。各保持部材１の取付部１１０から連結部材２を取り外すことによって、ワイヤーハーネス５００の結束状態を解除することができる。具体的には、各保持部材１の取付部１１０の挿入穴１１１に挿入された連結部材２の挿入部２００を当該挿入穴１１１から抜き去ることによって、ワイヤーハーネス５００の結束状態を解除することができる。上記のように、連結部材２は保持部材１の取付部１１０に対して着脱可能に取り付けられることから、連結部材２を破損することなく取付部１１０から取り外すことができる。なお、保持部材１はワイヤーハーネス５００に取り付けられたままである。
【００６７】
ワイヤーハーネス５００を束ねる際に使用されていた各保持部材１から連結部材２を取り外すと、各保持部材１の取付部１１０に対して、取り外した連結部材２の代わりにクリップ部材３を取り付ける。具体的には、各保持部材１の取付部１１０の挿入穴１１１に対して、上述のようにしてクリップ部材３の挿入部３１０を挿入することによって、当該取付部１１０に当該クリップ部材３を取り付ける。そして、ワイヤーハーネス５００を束ねる際に使用された各保持部材１とそれに取り付けられたクリップ部材３とを用いてワイヤーハーネス５００を取付対象物に固定する。
【００６８】
図１６は、保持部材１とクリップ部材３とが用いられてワイヤーハーネス５００が取付対象物６００に固定されている様子の一例を示す図である。図１６に示される取付対象物６００は、例えば車体パネルである。図１６では、取付対象物６００については、それが有する取付穴６０１での断面構造が示されている。
【００６９】
図１６に示されるように、保持部材１の保持部１００で保持されたワイヤーハーネス５００は、当該保持部材１の取付部１１０に取り付けられたクリップ部材３によって取付対象物６００に固定されている。具体的には、クリップ部材３のクリップ部３００が取付対象物６００の取付穴６０１に挿入されて係止することによって、当該クリップ部材３が取り付けられた保持部材１で保持されたワイヤーハーネス５００は当該取付対象物６００に固定される。図１６に示されるように、クリップ部３００の一対の係止羽根部３０２の係止段部３０３が、取付対象物６００における、取付穴６０１の周辺の部分に係止することによって、当該クリップ部３００が当該取付穴６０１に取り付けられている。なお、図１４の例では、ワイヤーハーネス５００に対して二つの保持部材１が取り付けられていることから、当該ワイヤーハーネス５００は、当該二つの保持部材１が取り付けられている二箇所において別々のあるいは同じ取付対象物に対して固定することが可能である。
【００７０】
以上のように、本実施の形態では、ワイヤーハーネス５００を保持する二つの保持部材１を互いに連結する連結部材２が設けられているため、ワイヤーハーネス５００を束ねることができる。また、ワイヤーハーネス５００を保持する保持部材１の取付部１１０には、連結部材２が着脱可能であるとともに、取付対象物の取付穴に係止するクリップ部３００を有するクリップ部材３を取り付けることができる。したがって、保持部材１から連結部材２を取り外すことによって束ねられたワイヤーハーネス５００の結束状態を解除し、その後、当該保持部材１に対してクリップ部材３を取り付けることができる。よって、ワイヤーハーネス５００を束ねる際に使用された保持部材１と、それに取り付けられたクリップ部材３とを使用して当該ワイヤーハーネス５００を取付対象物に固定することができる。
【００７１】
このように、本実施の形態では、ワイヤーハーネス５００を束ねる際に使用された保持部材１を使用して当該ワイヤーハーネス５００を取付対象物に固定することができることから、ワイヤーハーネス５００の結束状態が解除された後に当該保持部材１が使用されずに邪魔になることを抑制することができる。したがって、ワイヤーハーネス５００が車両内等に配策される際に保持部材１が周囲と干渉することを抑制することができる。さらに、ワイヤーハーネス５００の結束状態が解除された後でも保持部材１は使用されることから、ワイヤーハーネス５００が無駄に重くなることを抑制できるとともに、ワイヤーハーネス５００のコストアップを抑制することができる。
【００７２】
また、本実施の形態では、連結部材２が保持部材１に着脱可能であることから、ワイヤーハーネス５００の結束及びその解除を繰り返して行うことができる。例えば、束ねられた状態で１次メーカから出荷されたワイヤーハーネス５００に関して、２次メーカにおいて、保持部材１から連結部材２が取り外されてその結束状態が一旦解除され、その後、ワイヤーハーネス５００に部品等が取り付けられた後に、保持部材１に再度連結部材２が取り付けられ、ワイヤーハーネス５００が再び束ねられて３次メーカに出荷される。３次メーカにおいても同様に、保持部材１から連結部材２が取り外されてワイヤーハーネス５００の結束状態が一旦解除され、ワイヤーハーネス５００に部品等が取り付けられた後に、保持部材１に再度連結部材２が取り付けられ、ワイヤーハーネス５００が再び束ねられて出荷される。
【００７３】
このように、ワイヤーハーネス５００の結束及びその解除を繰り返して行うことができることから、作業性が向上するとともに、コストアップを抑制することができる。
【００７４】
また、本実施の形態では、クリップ部材３の挿入部３１０が保持部材１の挿入穴１１１に挿入される際には、当該挿入部３１０に設けられた脚部分３１２が弾性変形しながら当該脚部分３１２の表面に設けられた係合突起部３２０が当該挿入穴１１１の内面に設けられた第１係合突起部１１３を乗り越えて、当該内面に設けられた第２係合凹部１１４と係合するようになっている。したがって、挿入部３１０の挿入穴１１１への挿入時に係合突起部３２０が第１係合突起部１１３に当たる場合であっても、挿入部３１０を挿入穴１１１に挿入し易くなる。よって、作業性が向上する。
【００７５】
なお、上記の例では、クリップ部材３の挿入部３１０には二つの脚部分３１２が設けられているが、三つ以上の脚部分３１２を設けても良い。この場合には、三つ以上の脚部分３１２の外面３１２ａにそれぞれ設けられた三つ以上の係合部３２０にそれぞれ嵌合する三つ以上の第２係合部１１４が挿入穴１１１の内面に設けられる。
【００７６】
また、挿入穴１１１の内面には二つの第１係合部１１３が設けられていたが、三つ以上の第１係合部１１３を設けても良い。この場合には、三つ以上の第１係合部１１３にそれぞれ係合する三つ以上の第１係合部２１０と、三つ以上の第１係合部１１３にそれぞれ係合する三つ以上の第２係合部２２０とが、連結部材２の挿入部２００の表面に設けられる。
【００７７】
また、保持部材１の第１係合部１１３及び第２係合部１１４はそれぞれ突起部及び凹部であり、連結部材２の第１係合部２１０及び第２係合部２２０はそれぞれ突起部であり、クリップ部材３の係合部３２０は突起部であったが、第１係合部１１３、第２係合部１１４、第１係合部２１０、第２係合部２２０及び係合部３２０の形状は他の形状であっても良い。例えば、保持部材１の第１係合部１１３は、連結部材２の第１係合突起部２１０及び第２係合突起部２２０のそれぞれと解除可能に嵌合して係合する係合凹部であっても良い。また、連結部材２の第１係合部２１０及び第２係合部２２０のそれぞれは、保持部材１の第１係合突起部１１３と解除可能に嵌合して係合する係合凹部であっても良い。また、保持部材１の第２係合部１１４を係合突起部とし、クリップ部材３の係合部３２０を、当該係合突起部と嵌合して係合する係合凹部としても良い。
【００７８】
また、上記の例では、クリップ部材３の挿入部３１０は、保持部材１の挿入穴１１１に挿入されて固定されるようになっていたが、連結部材２の挿入部２００と同様に、挿入穴１１１に着脱可能に挿入されても良い。この場合には、クリップ部材３のクリップ部３００が取付対象物の取付穴に係止した状態において、保持部材１の挿入穴１１１から当該クリップ部材３の挿入部２００が抜けないようにする。これにより、クリップ部材３が破損等した場合に、他のクリップ部材３を保持部材１に取り付けることが可能となる。
【００７９】
また、上記の例の保持部材１においては、第１係合部１１３が第２係合部１１４よりも挿入穴１１１の挿入口側に配置されているが、第２係合部１１４を第１係合部１１３よりも挿入穴１１１の挿入口側に配置しても良い。
【００８０】
また、上記の例の保持部材１においては、バンドタイプの保持部１００であったが、当該保持部１００の代わりに、ワイヤーハーネス５００とともにテープが巻き付けられる板状保持部を採用しても良い。
【符号の説明】
【００８１】
１  保持部材
２  連結部材
３  クリップ部材
１１０  取付部
１１１  挿入穴
１１３，２１０  第１係合部
１１４，２２０  第２係合部
２００，３１０  挿入部  
３００  クリップ部
３１１  接続部分
３１２  脚部分
３１２ａ  外面
３２０  係合部
５００  ワイヤーハーネス
６００  取付対象物
６０１  取付穴
【図１】
0005853854.tif 000002
【図２】
0005853854.tif 000003
【図３】
0005853854.tif 000004
【図４】
0005853854.tif 000005
【図５】
0005853854.tif 000006
【図６】
0005853854.tif 000007
【図７】
0005853854.tif 000008
【図８】
0005853854.tif 000009
【図９】
0005853854.tif 000010
【図１０】
0005853854.tif 000011
【図１１】
0005853854.tif 000012
【図１２】
0005853854.tif 000013
【図１３】
0005853854.tif 000014
【図１４】
0005853854.tif 000015
【図１５】
0005853854.tif 000016
【図１６】
0005853854.tif 000017